(57)【要約】      （修正有）【課題】データ配線を減らし、表示品質を向上させるための表示装置を提供する。【解決手段】表示装置は、表示パネル及びデータ駆動部を含む。表示パネルは、複数の画素を含み、画素は表示パネルの長辺方向に延伸された複数のデータ配線と短辺が隣接し、表示パネルの短辺方向に延伸された複数のゲート配線と長辺が隣接し、画素の長辺に隣接した２つの画素は、１つのゲート配線と電気的に接続する。データ駆動部は、表示装置の長辺方向に配列された画素に２ドット毎に極性が反転されたデータ電圧を充電し、表示パネルの短辺方向に配列された画素に２ドット毎に極性が反転されたデータ電圧を充電する。【選択図】図２
2011022558.tif 000002
【特許請求の範囲】
【請求項１】
複数の画素と複数のデータ配線及び複数のゲート配線を含む表示パネルとデータ駆動部を有し、前記画素は、第１方向に延伸された前記データ配線と短辺が隣接し、第２方向に延伸された前記ゲート配線と長辺が隣接し、前記第２方向に隣接する２つの画素は、１つのゲート配線と電気的に接続され、
前記データ駆動部は、前記第２方向に配列された画素に２ドット毎に極性が反転されたデータ電圧を充電し、前記第１方向に配列された画素に２ドット毎に極性が反転されたデータ電圧を充電することを特徴とする表示装置。
【請求項２】
前記２ドットは、互いに異なる極性を有することを特徴とする請求項１に記載の表示装置。
【請求項３】
前記データ配線は、第８ｋ−７、第８ｋ−６、第８ｋ−５、第８ｋ−４、第８ｋ−３、第８ｋ−２、第８ｋ−１、及び第８ｋデータ配線を含み、
前記第８ｋ−７、第８ｋ−６、第８ｋ−５、第８ｋ−４、第８ｋ−３、第８ｋ−２、第８ｋ−１、及び第８ｋデータ配線は、前記第２方向に順序に配列し、前記第８ｋ−７〜第８ｋ−４データ配線に印加されるデータ電圧は、前記第８ｋ−３〜第８ｋデータ配線に印加されるデータ電圧と極性が反転されることを特徴とする請求項１に記載の表示装置（ｋは、１以上の自然数）。
【請求項４】
前記データ駆動部は、前記第８ｋ−７〜第８データ配線に前記データ電圧を提供し、
前記データ駆動部は、出力チャネルを含み、隣接する前記出力チャネルの間には１ドット毎または２ドット毎に極性が反転された前記データ電圧を出力することを特徴とする請求項３に記載の表示装置。
【請求項５】
前記表示パネルは、前記データ駆動部の出力チャネルと前記データ配線とを接続するデータファンアウト部をさらに含み、
前記データファンアウト部の少なくとも一対は、互いに交差することを特徴とする請求項４に記載の表示装置。
【請求項６】
前記表示パネルは、前記データ配線と前記画素とを電気的に接続する複数のコンタクト部をさらに含み、
同一の画素行に含まれた画素のうち、同一極性のデータ電圧が充電される画素のコンタクト部は、同一のデータ配線側に位置することを特徴とする請求項３に記載の表示装置。
【請求項７】
前記表示パネルは、
第１ゲート配線と隣接し、第２データ配線側に位置する第１コンタクト部を通じて前記第２データ配線と電気的に接続する第１画素と、
前記第１ゲート配線と隣接し、前記第２データ配線と隣接する第１データ配線側に位置する第２コンタクト部を通じて前記第１データ配線と電気的に接続する第２画素と、
前記第１ゲート配線と隣接し、前記第２データ配線と隣接する第３データ配線側に位置する第３コンタクト部を通じて前記第３データ配線と電気的に接続する第３画素と、
前記第１ゲート配線と隣接し、前記第３データ配線と隣接する第４データ配線側に位置する第４コンタクト部を通じて前記第４データ配線と電気的に接続する第４画素と、
前記第１ゲート配線と隣接する前記第２データ配線と隣接し、前記第１データ配線側に位置する第５コンタクト部を通じて前記第１データ配線と電気的に接続する第５画素と、
前記第２ゲート配線と隣接し、前記第２データ配線側に位置する第６コンタクト部を通じて前記第２データ配線と電気的に接続する第６画素と、
第２ゲート配線と隣接し、第４データ配線側に位置する第７コンタクト部を通じて前記第４データ配線と電気的に接続する第７画素と、
第２ゲート配線と、前記第３データ配線側に位置する第８コンタクト部を通じて前記第３データ配線と電気的に接続する第８画素と、を含むことを特徴とする請求項６に記載の表示装置。
【請求項８】
前記表示パネルは、
第１ゲート配線と隣接し、第１データ配線側に位置する第１コンタクト部を通じて前記第１データ配線と電気的に接続する第１画素と、
前記第１ゲート配線と隣接する第２ゲート配線と隣接し、前記第１データ配線側に位置する第２コンタクト部を通じて前記第１データ配線と電気的に接続し、前記第１画素と前記第１方向と隣接する第２画素と、
前記第２ゲート配線と隣接し、前記第１データ配線と隣接する第２データ配線側に位置する第３コンタクト部を通じて前記第２データ配線と電気的に接続する第３画素と、
前記第２ゲート配線と隣接する第３ゲート配線と隣接し、前記第２データ配線側に位置する第４コンタクト部を通じて前記第２データ配線と電気的に接続する第４画素と、を含むことを特徴とする請求項６に記載の表示装置。
【請求項９】
前記表示パネルは、前記データ配線と前記画素を電気的に接続する複数のコンタクト部をさらに含み、
同一の画素行に含まれた画素のうち、同一極性のデータ電圧が充電される画素のコンタクト部は、異なるデータ配線側に交代で位置することを特徴とする請求項３に記載の表示装置。
【請求項１０】
前記表示パネルは、
第１ゲート配線と隣接し、第２データ配線側に位置する第１コンタクト部を通じて前記第２データ配線と電気的に接続する第１画素と、
前記第１ゲート配線と隣接し、前記第２データ配線と隣接する第１データ配線側に位置する第２コンタクト部を通じて前記第１データ配線と電気的に接続する第２画素と、
前記第１ゲート配線と隣接する第２ゲート配線と隣接し、前記第２データ配線側に位置する第３コンタクト部を通じて前記第２データ配線と電気的に接続する第３画素と、
第２ゲート配線と隣接し、第１データ配線側に位置する第４コンタクト部を通じて前記第１データ配線と電気的に接続する第４画素と、を含むことを特徴とする請求項９に記載の表示装置。
【請求項１１】
前記データ駆動部を水平周期Ｈで前記データ電圧の極性を反転させて駆動することを特徴とする請求項１０に記載の表示装置。
【請求項１２】
前記データ配線は、第４ｋ−３、第４ｋ−２、第４ｋ−１、及び第４ｋデータ配線を含み、
前記第４ｋ−３〜第４ｋデータ配線は、前記第２方向に順序に配列し、前記第４ｋ−３及び第４ｋ−２データ配線に印加されるデータ電圧は、前記第４ｋ−１及び第４ｋデータ配線に印加されるデータ電圧と極性が反転することを特徴とする請求項１に記載の表示装置（ｋは１以上の自然数）。
【請求項１３】
前記データ駆動部は、前記第４ｋ−３、第４ｋ−２、第４ｋ−１、及び第４ｋデータ配線にデータ電圧を提供し、
前記データ駆動部は、出力チャネルを含み、前記隣接する前記出力チャネルの間には、１ドット毎に極性が反転された前記データ電圧を出力することを特徴とする請求項１２に記載の表示装置。
【請求項１４】
前記表示パネルは、前記データ駆動部の前記出力チャネルと前記データ配線とを接続するデータファンアウト部を含み、
前記データファンアウト部の少なくとも一対は、互いに交差することを特徴とする請求項１３に記載の表示装置。
【請求項１５】
前記表示パネルは、前記データ配線と前記画素とを電気的に接続する複数のコンタクト部をさらに含み、
同一の画素行に含まれた画素のうち、同一極性のデータ電圧が充電される画素のコンタクト部は、同一のデータ配線側に位置することを特徴とする請求項１２に記載の表示装置。
【請求項１６】
前記表示パネルは、
第１ゲート配線と隣接し、第１データ配線側に位置する第１コンタクト部を通じて前記第１データ配線と電気的に接続する第１画素と、
前記第１ゲート配線と隣接し、前記第１データ配線と隣接する第２データ配線側に位置する第２コンタクト部を通じて前記第２データ配線と電気的に接続する第２画素と、
前記第１ゲート配線と隣接し、前記第２データ配線と隣接する第３データ配線側に位置する第３コンタクト部を通じて前記第３データ配線と電気的に接続する第３画素と、
前記第１ゲート配線と隣接し、前記第３データ配線と隣接する第４データ配線側に位置する第４コンタクト部を通じて前記第４データ配線と電気的に接続する第４画素と、
前記第１ゲート配線と隣接する前記第２データ配線と隣接し、前記第２データ配線側に位置する第５コンタクト部を通じて前記第２データ配線と電気的に接続する第５画素と、
前記第２ゲート配線と隣接し、前記第１データ配線側に位置する第６コンタクト部を通じて前記第１データ配線と電気的に接続する第６画素と、
前記第２ゲート配線と隣接し、前記第４データ配線側に位置する第７コンタクト部を通じて前記第４データ配線と電気的に接続する第７画素と、
前記第２ゲート配線と、前記第３データ配線側に位置する第８コンタクト部を通じて前記第３データ配線と電気的に接続する第８画素と、を含むことを特徴とする請求項１５に記載の表示装置。
【請求項１７】
第１データ配線、第２データ配線、第３データ配線、第４データ配線、第１ゲート配線、第２ゲート配線、第１画素、第２画素、第３画素、第４画素、第１コンタクト部、第２コンタクト部、第３コンタクト部、及び第４コンタクト部を含み、第１方向に延伸された前記第１データ配線と前記第２データ配線との間に前記第１及び第２画素が配置され、前記第２データ配線と隣接し、前記第１方向に延伸された前記第３データ配線と前記第４データ配線との間に前記第３及び第４画素が配置され、第２方向に延伸された前記第１ゲート配線は、前記第１画素と第２画素との間と、前記第３画素と第４画素との間に配置され、前記第１画素は、前記第２データ配線に隣接する第１コンタクト部を通じて前記第２データ配線と接続され、前記第２画素は、前記第１データ配線に隣接する第２コンタクト部を通じて前記第１データ配線と接続され、前記第３画素は前記第４データ配線に隣接する第３コンタクト部を通じて前記第４データ配線と接続され、第４画素は前記第３データ配線と隣接する第４コンタクト部を通じて前記第３データ配線と接続する表示パネルと、
前記第１方向に配列された画素に１ドット毎に極性が反転されたデータ電圧を充電し、前記２方向に配列された画素に２ドット毎に極性が反転されたデータ電圧を充電するデータ駆動部と、を含むことを特徴とする表示装置。
【請求項１８】
前記表示装置は、前記データ配線と前記画素とを電気的に接続する複数のコンタクト部をさらに含み、
同一の画素行に含まれた画素のうち、同一極性のデータ電圧が充電される画素のコンタクト部は同一のデータ配線側に位置することを特徴とする請求項１７に記載の表示装置。
【請求項１９】
前記データ配線は、第８ｋ−７、第８ｋ−６、第８ｋ−５、第８ｋ−４、第８ｋ−３、第８ｋ−２、第８ｋ−１、及び第８ｋデータ配線を含み、
前記第８ｋ−７、第８ｋ−６、第８ｋ−５、第８ｋ−４、第８ｋ−３、第８ｋ−２、第８ｋ−１、及び第８ｋデータ配線は、前記第２方向に順序に配列し、前記第８ｋ−７〜第８ｋ−４データ配線に印加されるデータ電圧は、前記第８ｋ−３〜第８ｋデータ配線に印加されるデータ電圧と極性が反転されることを特徴とする請求項１８に記載の表示装置（ｋは、１以上の自然数）。
【請求項２０】
前記データ駆動部は、前記第８ｋ−７〜第８データ配線に前記データ電圧を提供し、
前記データ駆動部は、出力チャネルを含み、隣接する前記出力チャネルの間には１ドット毎または２ドット毎に極性が反転された前記データ電圧を出力することを特徴とする請求項１９に記載の表示装置。
【発明の詳細な説明】
【技術分野】
【０００１】
本発明は、表示装置に関し、より詳しくは、表示品質を改善するための表示装置に関する。
【背景技術】
【０００２】
一般的に、液晶表示装置は、液晶表示パネルと、前記液晶表示パネルに光を提供するバックライトユニットとを含む。前記液晶表示パネルは、複数のデータ配線と、前記データ配線と交差する複数のゲート配線とを含み、前記データ配線とゲート配線によって複数の画素部が定義される。
【０００３】
最近、製造費用の節減のために、データ駆動回路の個数を減らすための画素構造が使用されている。例えば、１つのデータ配線を左右画素が共有する画素構造がある。前記画素構造は、データ配線を１／２に減らすことができ、これによって、データ駆動回路の個数もやはり１／２に減らすことができる。
【０００４】
または、前記データ配線を表示パネルの長辺方向に延伸し、前記ゲート配線を前記表示パネルの短辺方向に延伸する構造がある。前記データ配線は、前記表示パネルの長辺方向に延伸するため、前記表示パネルの短辺方向に配列する。従って、前記データ配線が長辺方向に配列される構造に比べて、配線数を減らすことができ、これによって、データ駆動回路の個数を減らすことができる。
【０００５】
このように、データ配線の個数を減らす画素構造は、液晶表示装置の反転駆動に従って画素間の充電タイミングによるキックバック（ｋｉｃｋｂａｃｋ）偏差が発生する。前記キックバック偏差によって特定パターンで縞模様不良及びフリッカー現象のような表示不良が発生する。
【先行技術文献】
【特許文献】
【０００６】
【特許文献１】韓国特許０８３０１２３号明細書
【特許文献２】韓国特許出願公開２００８−００８８８９２号明細書
【特許文献３】韓国特許出願公開２００７−００６５６９４号明細書
【特許文献４】韓国特許出願公開２００７−０１０１５０２号明細書
【特許文献５】韓国特許出願公開２００８−００４４３９７号明細書
【特許文献６】特開２００１−０３３７５７号公報
【特許文献７】特開２００５−１６５０３８号公報
【特許文献８】特開２００６−０８４８６０号公報
【特許文献９】米国特許第７１８７３５３号明細書
【特許文献１０】米国特許出願公開２００７−０１４６２７０号明細書
【発明の概要】
【発明が解決しようとする課題】
【０００７】
本発明は、上記問題点に鑑みてなされたものであって、本発明の目的は、データ配線を減らし、表示品質を向上させるための表示装置を提供することにある。
【課題を解決するための手段】
【０００８】
上記本発明の目的を達成するための一実施形態による表示装置は、表示パネル及びデータ駆動部を含む。前記表示パネルは、複数の画素と複数のデータ配線及び複数のゲート配線を含み、前記画素は、第１方向に延伸された前記データ配線と短辺が隣接し、第２方向に延伸された前記ゲート配線と長辺が隣接し、前記第２方向に隣接する２つの画素は、１つのゲート配線と電気的に接続される。前記データ駆動部は、前記第２方向に配列された画素に２ドット毎に極性が反転されたデータ電圧を充電し、前記第１方向に配列された画素に２ドット毎に極性が反転されたデータ電圧を充電する。
【０００９】
上記本発明の目的を達成するための他の実施形態による表示装置は、表示パネル及びデータ駆動部を含む。前記表示パネルは、第１データ配線、第２データ配線、第３データ配線、第４データ配線、第１ゲート配線、第２ゲート配線、第１画素、第２画素、第３画素、第４画素、第１コンタクト部、第２コンタクト部、第３コンタクト部、及び第４コンタクト部を含み、第１方向に延伸された前記第１データ配線と前記第２データ配線との間に前記第１及び第２画素が配置され、前記第２データ配線と隣接し、前記第１方向に延伸された前記第３データ配線と前記第４データ配線との間に前記第３及び第４画素が配置され、第２方向に延伸された前記第１ゲート配線は、前記第１画素と第２画素との間と、前記第３画素と第４画素との間に配置され、前記第１画素は、前記第２データ配線に隣接する第１コンタクト部を通じて前記第２データ配線と接続され、前記第２画素は、前記第１データ配線に隣接する第２コンタクト部を通じて前記第１データ配線と接続され、前記第３画素は前記第４データ配線に隣接する第３コンタクト部を通じて前記第４データ配線と接続され、第４画素は前記第３データ配線と隣接する第４コンタクト部を通じて前記第３データ配線と接続する。前記データ駆動部は、前記第１方向に配列された画素に１ドット毎に極性が反転されたデータ電圧を充電し、前記２方向に配列された画素に２ドット毎に極性が反転されたデータ電圧を充電する。
【発明の効果】
【００１０】
本発明によると、スイッチング素子と画素電極を電気的に接続するコンタクト部の位置を全表示パネルに均一に配置し、前記表示パネルの長辺方向には、１ドット（ｄｏｔ）または２ドット毎に極性を反転させて駆動し、短辺方向には２ドット毎に極性を反転させて駆動することによって表示品質を向上させることができる。
【図面の簡単な説明】
【００１１】
【図１】本発明の第１実施形態による表示装置のブロック図である。
【図２】図１に示す表示パネルの反転駆動を説明するための概念図である。
【図３】図２の反転駆動のためのデータファンアウト部の概念図である。
【図４】図３のデータファンアウト部が適用された一例による表示パネルの平面図である。
【図５】図２の反転駆動のためのデータ駆動部のブロック図である。
【図６】本発明の第２実施形態による表示パネルの反転駆動方式を説明するための概念図である。
【図７】本発明の第３実施形態による表示パネルの反転駆動方式を説明するための概念図である。
【図８】本発明の第４実施形態による表示パネルの反転駆動方式を説明するための概念図である。
【図９】本発明の第５実施形態による表示パネルの反転駆動方式を説明するための概念図である。
【図１０】本発明によって縞模様現象が改善される原理を説明するための概念図である。
【図１１】本発明によって縞模様現象が改善される原理を説明するための概念図である。
【図１２】本発明によって共通電圧のカップリングによる不良が改善される原理を説明するための概念図である。
【図１３】本発明によって共通電圧のカップリングによる不良が改善される原理を説明するための概念図である。
【図１４】ゲート及びソース金属パターン間のミスアラインを説明するための平面図である。
【図１５】本発明によってゲート配線がミスアラインされた場合、表示不良が改善される原理を説明するための概念図である。
【図１６】本発明によってゲート配線がミスアラインされた場合、表示不良が改善される原理を説明するための概念図である。
【発明を実施するための形態】
【００１２】
以下、図面を参照しつつ、本発明の望ましい実施形態をより詳しく説明する。本発明は多様な変更を加えることができ、様々な形態を有することができるため、特定実施形態を図面に例示し、本明細書に詳しく説明する。しかし、これは本発明を特定の開示形態に対して限定しようとすることではなく、本発明の思想及び技術範囲に含まれる全ての変更、均等物、ないしは代替物を含むことと理解されるべきである。各図面を説明しながら類似する参照符号を、類似する構成要素に対して使用した。添付図面において、構造物のサイズは本発明の明確性に基づくために実際より拡大して示した。第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００１３】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
【実施例１】
【００１４】
図１は、本発明の第１実施形態による表示装置のブロック図である。図２は、図１に示す表示パネルの反転駆動を説明するための概念図である。
【００１５】
図１を参照すると、前記表示装置は、表示パネル１００及びパネル駆動部２００を含む。
【００１６】
前記表示パネル１００は、第１方向に延伸された長辺と前記第１方向と交差する第２方向に延伸された短辺からなるフレーム形状を有する。前記表示パネル１００は、複数の画素Ｐ１、Ｐ２と、複数のゲート配線ＧＬ及び複数のデータ配線ＤＬ１、ＤＬ２を含む。各ゲート配線ＧＬは前記表示パネル１００の短辺である第２方向に延伸され、前記長辺である第１方向に配列される。各データ配線ＤＬ１は、長辺である第１方向に延伸され、前記短辺である第２方向に配列される。前記ゲート配線ＧＬは、隣接する２つの画素Ｐ１、Ｐ２の一側の長辺を定義し、前記隣接する一対のデータ配線ＤＬ１、ＤＬ２は、隣接する２つの画素Ｐ１、Ｐ２の両側の短辺を定義する。
【００１７】
各画素Ｐ１は、データ配線ＤＬ１とゲート配線ＧＬ１に接続されたスイッチング素子ＴＲ、前記スイッチング素子ＴＲに接続された画素電極ＰＥ、及びカラーフィルタ（図示せず）を含む。例えば、第１画素Ｐ１及び前記第１画素Ｐ１を含む第１画素列は赤色フィルタを有し、第２画素Ｐ２及び前記第２画素Ｐ２を含む第２画素列は緑色フィルタを有し、第３画素Ｐ３及び前記第３画素Ｐ３を含む第３画素列は青色フィルタを有する。前記赤色、緑色、及び青色フィルタは、前記表示パネル１００の前記第１方向に繰り返して配置されることができる。
【００１８】
前記パネル駆動部２００は、タイミング制御部２１０、データ駆動部２３０、及びゲート駆動部２５０を含む。前記タイミング制御部２１０は、外部からデータ信号及び同期信号を受信し、前記同期信号を利用して前記表示パネル１００を駆動するための駆動制御信号を生成する。前記駆動制御信号は、前記データ駆動部２３０から出力される複数のデータ電圧の極性を決める反転信号を含む。前記駆動制御信号は、前記ゲート駆動部２５０の駆動を制御するゲート制御信号を含む。
【００１９】
前記データ駆動部２３０は、前記タイミング制御部２１０または外部から提供されたデジタルのデータ信号をアナログのデータ電圧に変換し、前記データ電圧を反転方式による極性を決めて前記データ配線ＤＬ１、ＤＬ２に出力する。望ましくは、前記データ駆動部２３０は、前記データ配線ＤＬ１、ＤＬ２の端部と隣接した前記表示パネル１００の短辺側に配置される。前記ゲート駆動部２５０は、前記ゲート制御信号に基づいて外部から提供されたゲートオン／オフ電圧を利用してゲート信号を生成し、前記ゲート信号を前記ゲート配線ＧＬに出力する。望ましくは、前記ゲート駆動部２５０は、前記ゲート配線ＧＬの端部と隣接する前記表示パネル１００の長辺側に配置される。
【００２０】
前記パネル駆動部２００は、前記表示パネル１００を反転方式に従って駆動する。例えば、図２に示したように、前記パネル駆動部２００は、表示パネル１００Ａを長辺方向は１ドット毎に極性が反転し、短辺方向は２ドット毎に極性が反転する１×２ドット反転方式で駆動する。前記２ドットは、互いに異なる極性を有することができる。
【００２１】
図２を参照すると、表示パネル１００Ａは、複数の画素を含む。前記画素は前記表示パネル１００Ａの長辺である第１方向に配列された画素行（ｒｏｗ）と前記表示パネル１００Ａの短辺である第２方向に配列された画素列（ｃｏｌｕｍｎ）を含むマトリックス構造を有する。
【００２２】
前記ゲート配線ＧＬ１、ＧＬ２、ＧＬ３、ＧＬ４、ＧＬ５、ＧＬ６のそれぞれは、前記画素列の画素と電気的に接続される。例えば、隣接する２つの第１及び第２画素列は、第１ゲート配線ＧＬ１と電気的に接続される。前記データ配線ＤＬ１、ＤＬ２、ＤＬ３、ＤＬ４、ＤＬ５、ＤＬ６は、前記表示パネル１００Ａの長辺である第１方向に延伸し、前記表示パネル１００Ａの短辺である第２方向に配列される。前記データ配線ＤＬ１、ＤＬ２、ＤＬ３、ＧＬ４、ＧＬ５、ＧＬ６は、前記画素行と電気的に接続される。前記第１データ配線ＤＬ１は、第１極性のデータ電圧を受信し、前記第２データ配線ＤＬ２は前記第１極性と共通電圧Ｖｃｏｍの対比位相が反転された第２極性のデータ電圧を受信する。
【００２３】
例えば、互いに隣接する一対の第１データ配線ＤＬ１及び第２データ配線ＤＬ２は、第１方向に配列された画素行の画素と電気的に接続される。各画素は、スイッチング素子ＴＲと画素電極ＰＥ及び前記スイッチング素子ＴＲと前記画素電極ＰＥを直接接続するコンタクト部を含む。
【００２４】
前記表示パネル１００Ａは、複数のコンタクト部を含み、前記コンタクト部は前記表示パネル１００Ａの全体領域に対して均一に配置される。
【００２５】
例えば、第１ゲート配線ＧＬ１に接続され、第１方向に隣接した第１画素Ｐ１及び第２画素Ｐ２のそれぞれは、第１コンタクト部ＣＰ１及び第２コンタクト部ＣＰ２を含む。前記第１コンタクト部ＣＰ１は、前記第１画素Ｐ１の領域のうち、第２データ配線ＤＬ２と隣接して配置される。前記第２コンタクト部ＣＰ２は、前記第２画素Ｐ２の領域のうち、前記第１データ配線ＤＬ１と隣接するように配置される。同一方式で、第２ゲート配線ＧＬ２に接続され、第１方向に隣接した第３画素Ｐ３及び第４画素Ｐ４のそれぞれは、第３コンタクト部ＣＰ３及び第４コンタクト部ＣＰ４を含む。前記第２画素Ｐ２と第１方向に隣接する前記第３画素Ｐ３の領域に形成された前記第３コンタクト部ＣＰ３は、前記第２データ配線ＤＬ２と隣接した領域に配置される。前記第４コンタクト部ＣＰ４は、前記第４画素Ｐ４の領域のうち、前記第１データ配線ＤＬと隣接するように配置される。前記第１方向に配列された画素のコンタクト部は、第１データ配線ＤＬ１と第２データ配線ＤＬ２に交代で隣接するように配置される。
【００２６】
一方、前記第１画素Ｐ１を含み、第２方向に配列された画素のコンタクト部は前記第１画素Ｐ１内の前記第１コンタクト部ＣＰ１の位置と実質的に同一の位置に配置される。つまり、前記コンタクト部は前記画素領域の上下に位置した一対のデータ配線のうち、下に位置する偶数データ配線ＤＬ２、ＤＬ４、ＤＬ６、ＤＬ８と隣接するように配置される。
【００２７】
前記第２画素Ｐ２を含み、第２方向に配列された画素のコンタクト部は前記第２画素Ｐ２内の前記第２コンタクト部ＣＰ２の位置と実質的に同一の位置に配置される。つまり、前記コンタクト部は上下に位置した一対のデータ配線のうち、上に位置する奇数データ配線ＤＬ１、ＤＬ３、ＤＬ５、ＤＬ７と隣接するように配置される。
【００２８】
前記第３画素Ｐ３を含み、第２方向に配列された画素のコンタクト部は前記第３画素Ｐ３内の前記第３コンタクト部ＣＰ３の位置と実質的に同一の位置に配置される。つまり、前記コンタクト部は上下に位置した一対のデータ配線のうち、下に位置するデータ配線ＤＬ２、ＤＬ４、ＤＬ６、ＤＬ８と隣接するように配置される。
【００２９】
結果的に、第１画素行に含まれた画素のうち、正極性（＋）のデータ電圧が充電される画素Ｐ１、Ｐ３のコンタクト部ＣＰ１、ＣＰ３は、画素領域の下側、つまり第２データ配線ＤＬ２側に位置する。反面、第１画素行に含まれた画素のうち、負極性（−）のデータ電圧が充電される画素Ｐ２、Ｐ４のコンタクト部ＣＰ２、ＣＰ４は、前記画素領域の上側、つまり第１データ配線ＤＬ１側に位置する。また、前記第１画素行と隣接する第２画素行のコンタクト部は前記第１画素行のコンタクト部と反対側に位置する。前記正極性（＋）のデータ電圧が充電される画素のコンタクト部は前記画素領域の上側、つまり第３データ配線ＤＬ３側に位置する。反面、前記負極性（−）のデータ電圧が充電される画素のコンタクト部は前記画素領域の下側、つまり第４データ配線ＤＬ４側に位置する。
【００３０】
上述のようなコンタクト部の配列構造によると、第１データ配線及び第２データ配線に接続された第１画素行の画素のうち、同じ極性のデータ電圧が充電される画素のコンタクト部は同一の位置に配置される。つまり、負極性のデータ電圧が充電される画素のコンタクト部は画素領域の上に位置する第１データ配線ＤＬ１と隣接するように配置し、正極性のデータ電圧が充電される画素のコンタクト部は画素領域の下に位置する第２データ配線ＤＬ２と隣接するように配置される。第３データ配線ＤＬ３及び第４データ配線ＤＬ４に接続された第２画素行の画素のうち、同じ極性のデータ電圧が充電される画素のコンタクト部は同一の位置に配置される。つまり、負極性のデータ電圧が充電される画素のコンタクト部は画素領域の下に位置する第４データ配線ＤＬ４と隣接するように配置し、正極性のデータ電圧が充電される画素のコンタクト部は画素領域の上に位置する第３データ配線ＤＬ３と隣接するように配置される。結果的に、前記表示パネル１００Ａは、同一極性の電圧が充電される画素のコンタクト部は、画素の上下に均一に分布することができる。
【００３１】
前記表示パネル１００Ａは、１×２ドット反転方式で駆動するために、８ドット毎に極性が反転される８ドット反転されたデータ電圧を受信する。つまり、第８ｋ−７（ｋは、自然数）、第８ｋ−６、第８ｋ−５、第８ｋ−４、第８ｋ−３、第８ｋ−２、第８ｋ−１、及び第８ｋデータ配線、例えば、第１〜第８データ配線（ＤＬ１、ＤＬ２、ＤＬ３、…、ＤＬ８）は、（−、＋、＋、−、＋、−、−、＋）極性のデータ電圧を受信する。前記８つのデータ配線単位で極性が繰り返される。前記偶数番目データ配線ＤＬ２、ＤＬ４、ＤＬ６、ＤＬ８は（＋、−、−、＋）極性のデータ電圧を順番に受信し、前記奇数番目データ配線ＤＬ１、ＤＬ３、ＤＬ５、ＤＬ７は（−、＋、＋、−）極性のデータ電圧を順番に受信する。上述のように、第１データ配線〜第４データ配線の極性は、第５データ配線〜第９データ配線の極性が反転した極性にできる。図３は、図２の反転駆動のためのデータファンアウト部の概念図である。
【００３２】
図１及び図３を参照すると、前記データ駆動部２３０は、複数の出力チャネルＣＨ１、ＣＨ２、ＣＨ３、ＣＨ４、ＣＨ５、ＣＨ６、ＣＨ７、ＣＨ８を含み、前記出力チャネルＣＨ１、ＣＨ２、ＣＨ３、ＣＨ４、ＣＨ５、ＣＨ６、ＣＨ７、ＣＨ８のそれぞれは、データ配線ＤＬ１、ＤＬ２、ＤＬ３、ＤＬ４、ＤＬ５、ＤＬ６、ＤＬ７、ＤＬ８と接続される。
【００３３】
前記表示パネル１００Ａは、前記データ配線ＤＬ１、ＤＬ２、ＤＬ３、ＤＬ４、ＤＬ５、ＤＬ６、ＤＬ７、ＤＬ８と前記出力チャネルＣＨ１、ＣＨ２、ＣＨ３、ＣＨ４、ＣＨ５、ＣＨ６、ＣＨ７、ＣＨ８を接続するデータファンアウト部を含む。前記データ配線ＤＬ１、ＤＬ２、ＤＬ３、ＤＬ４、ＤＬ５、ＤＬ６、ＤＬ７、ＤＬ８は前記表示パネル１００の表示領域ＤＡに配置され、前記データファンアウト部ＦＯ１、ＦＯ２、ＦＯ３、ＦＯ４、ＦＯ５、ＦＯ６、ＦＯ７、ＦＯ８は前記表示領域ＤＡを取り囲む周辺領域ＰＡの一部に配置される。
【００３４】
第１データファンアウト部ＦＯ１は、第１出力チャネルＣＨ１と第１データ配線ＤＬ１とを接続し、第２データファンアウト部ＦＯ２は、第２出力チャネルＣＨ２と第２データ配線ＤＬ２とを接続する。第３データファンアウト部ＦＯ３は、第３出力チャネルＣＨ３と第４データ配線ＤＬ４とを接続し、第４データファンアウト部ＦＯ４は、第４出力チャネルＣＨ４と第３データ配線ＤＬ３とを接続する。
【００３５】
第５データファンアウト部ＦＯ５は、第５出力チャネルＣＨ５と第６データ配線ＤＬ６とを接続し、第６データファンアウト部ＦＯ６は、第６出力チャネルＣＨ６と第５データ配線ＤＬ５とを接続し、第７データファンアウト部ＦＯ７は、第７出力チャネルＣＨ７と第７データ配線ＤＬ７とを接続し、第８データファンアウト部ＦＯ８は、第８出力チャネルＣＨ８と第８データ配線ＤＬ８とを接続する。
【００３６】
前記データ駆動部２３０は、２ドット毎に極性が反転される２ドット反転方式に従って、（＋、−、＋、−、…）極性のデータ電圧を出力する。前記データ駆動部２３０の奇数番目出力チャネルＣＨ１、ＣＨ３、ＣＨ５、ＣＨ７は、負極性（−）のデータ電圧を出力し、偶数番目出力チャネルＣＨ２、ＣＨ４、ＣＨ６、ＣＨ８は、正極性（＋）のデータ電圧を出力する。前記データ駆動部２３０は、フレーム単位で前記データ電圧の極性を反転して出力することができる。
【００３７】
前記第３及び第４データファンアウト部ＦＯ３、ＦＯ４は、互いに交差することによって、前記第１データ配線ＤＬ１、第２データ配線ＤＬ２、第３データ配線ＤＬ３、及び第４データ配線ＤＬ４には、−、＋、＋、−の極性を有するデータ電圧が印加される。また、前記第５データファンアウト部ＦＯ５及び第６データファンアウト部ＦＯ６は、互いに交差されることによって、前記第５データ配線ＤＬ５、第６データ配線ＤＬ６、第７データ配線ＤＬ７、及び第８データ配線ＤＬ８には、＋、−、−、＋の極性を有するデータ電圧が印加される。
【００３８】
結果的に、前記データファンアウト部を交差させることによって、２ドット毎に極性が反転される２ドット反転方式のデータ駆動部２３０を利用して８ドット毎に極性が反転される８ドット反転方式で前記表示パネル１００Ａにデータ電圧を提供することができる。
【００３９】
図４は、図３のデータファンアウト部が適用された一例による表示パネルの平面図である。
【００４０】
図３及び図４を参照すると、前記表示パネル１００Ａの周辺領域ＰＡには互いに交差する前記第３データファンアウト部ＦＯ３と前記第４データファンアウト部ＦＯ４が配置される。前記第３ファンアウト部ＦＯ３は、第１ファン配線ＦＬ１と第２ファン配線ＦＬ２を含み、前記第４ファンアウト部ＦＯ４は、第３ファン配線ＦＬ３及び第４ファン配線ＦＬ４を含む。
【００４１】
前記第１ファン配線ＦＬ１は、第１導電パターンで形成され、前記データ駆動部２３０の第３出力チャネルＣＨ３と接触するパッドから延伸する。前記第２ファン配線ＦＬ２は、第２導電配線から形成され、前記第１ファン配線ＦＬ１と第１コンタクトホールＣＴ１を通じて電気的に接続される。前記第２ファン配線ＦＬ２は、前記第４データ配線ＤＬ４と直接接続される。前記第４データ配線ＤＬ４は前記第２導電パターンで形成される。例えば、前記第２ファン配線ＦＬ２と前記第４データ配線ＤＬ４との間には静電気ダイオード部ＥＤを通じて電気的に接続される。前記静電気ダイオード部ＥＤは、静電気から前記表示領域ＤＡに配置された画素を保護する。
【００４２】
前記第３ファン配線ＦＬ３は、前記第１導電パターンから形成され、前記データ駆動部２３０の第４出力チャネルＣＨ４と接触するパッドから延伸する。前記第４ファン配線ＦＬ４は、第３導電パターンから形成され、前記第３ファン配線ＦＬ３と第２コンタクトホールＣＴ２を通じて電気的に接続される。前記第４ファン配線ＦＬ４は、前記第２導電パターンから形成された前記第３データ配線ＤＬ３と第３コンタクトホールＣＴ３を通じて電気的に接続される。例えば、前記第４ファン配線ＦＬ４と前記第３データ配線ＤＬ３との間には、静電気ダイオード部ＥＤを通じて電気的に接続される。前記第１導電パターンを前記ゲート配線と同一の物質であり、前記第２導電パターンは前記データ配線と同一の物質であり、前記第３導電パターンは画素電極と同一の物質であってもよい。
【００４３】
図３及び図４においては、１ドット毎に極性が反転される１ドット反転方式のデータ駆動部２３０を利用して前記表示パネル１００Ａを４ドット毎に極性が反転される４ドット反転方式で駆動するための一例としてデータファンアウト部を交差することを説明したが、前記データファンアウト部の交差方式を変換して２ドット反転方式のデータ駆動部を利用して前記表示パネル１００Ａを４ドット反転方式で駆動することができる。
【００４４】
図５は、図２の反転駆動のためのデータ駆動部のブロック図である。
【００４５】
図１及び図５を参照すると、前記データ駆動部２３０は、複数の出力部（ＯＴ１、ＯＴ２、ＯＴ３、ＯＴ４、…）を含む。前記出力部（ＯＴ１、ＯＴ２、ＯＴ３、ＯＴ４、…）はタイミング制御部２１０から提供された反転信号に基づいてデータ電圧の極性を決めて出力される。各出力部は連続する２つの出力チャネルに接続され、反転信号が「１」であると、前記出力チャネルに出力するデータ電圧の極性を正極性及び負極性の順番に決めて出力する。反面、前記反転信号が「０」であると、前記出力チャネルに出力されるデータ電圧の極性を負極性及び正極性の順番に決めて出力する。
【００４６】
前記タイミング制御部２１０は、４ドット反転方式に対応して前記データ駆動部２３０に第１反転信号ＰＯ１及び第２反転信号ＰＯ２を印加する。
【００４７】
前記第１反転信号ＰＯ１は、第１出力部ＯＴ１及び第４出力部ＯＴ４に提供し、前記第２反転信号ＰＯ２は、第２出力部ＯＴ２及び第３出力部ＯＴ３に提供される。例えば、前記データ駆動部２３０は、「０」である第１反転信号ＰＯ１と、「１」である第２反転信号ＰＯ２を受信する。これによって、前記第１出力部ＯＴ１は、負極性の第１データ電圧−ｄ１と正極性の第２データ電圧＋ｄ２を出力する。前記第２出力部ＯＴ２は、正極性の第３データ電圧＋ｄ３と負極性の第４電圧−ｄ４を出力する。前記第３出力部ＯＴ３は、正極性の第５データ電圧＋ｄ５と負極性の第６データ電圧−ｄ６を出力する前記第４出力部ＯＴ４は、負極性の第７データ電圧−ｄ７と正極性の第８データ電圧＋ｄ８を出力する。
【００４８】
結果的に、前記データ駆動部２３０は、４ドット反転方式に対応する極性のデータ電圧を出力する。
【００４９】
以下においては、第１実施形態と同一の構成要素に対しては同一図面符号を与えて説明し、繰り返される説明は省略する。
【実施例２】
【００５０】
図６は、本発明の第２実施形態による表示パネルの反転駆動方式を説明するための概念図である。
【００５１】
図１及び図６を参照すると、前記表示パネル１００Ｂは、図２に示す第１実施形態の表示パネル１００Ａと同じ配列構造を有する反面、前記表示パネル１００Ｂは、長辺である第１方向に２ドット毎に極性が反転し、短辺である第２方向に２ドット毎に極性が反転されて、２×２ドット反転方式に駆動される。前記２ドットは、互いに異なる極性を有することができる。
【００５２】
前記表示パネル１００Ｂの第８ｋ−７、第８ｋ−６、第８ｋ−５、  第８ｋ−４、第８ｋ−３、第８ｋ−２、第８ｋ−１、及び第８ｋデータ配線、例えば、第１〜第８データ配線（ＤＬ１、…、ＤＬ８）は、４ドット毎に極性が反転される４ドット反転方式のデータ電圧を受信し、水平周期Ｈで反転された極性のデータ電圧を受信する。例えば、１番目のＨ区間の間、前記第１〜第８データ配線（ＤＬ１、…、ＤＬ８）は、（−、＋、＋、−、＋、−、−、＋）のデータ電圧を受信し、２番目のＨ区間の間、前記第１〜第８データ配線（ＤＬ１、…、ＤＬ８）は、（＋、−、−、＋、−、＋、＋、−）のデータ電圧を受信し、３番目のＨ区間の間、（−、＋、＋、−、＋、−、−、＋）のデータ電圧を受信する。このように、１水平周期１Ｈで前記データ電圧の極性を反転させる方式をカラム反転方式という。
【００５３】
前記表示パネル１００Ｂは複数のコンタクト部を含み、前記コンタクト部は、前記表示パネル１００Ａの全体領域に対して均一に配置される。同じ画素行に含まれた画素のうち、同じ極性のデータ電圧が充電される画素のコンタクト部は、画素領域の上に配置されたデータ配線側と前記画素領域の下に配置されたデータ配線側に交代で位置する。
【００５４】
例えば、第１画素行に含まれた画素のうち、正極性（＋）のデータ電圧が充電される画素Ｐ１、Ｐ４のコンタクト部ＣＰ１、ＣＰ４は、画素領域の下側及び上側、つまり、第２及び第１データ配線ＤＬ２、ＤＬ１側にそれぞれ位置し、負極性（−）のデータ電圧が充電される画素Ｐ２、Ｐ３のコンタクト部ＣＰ２、ＣＰ３は、前記画素領域の上側及び下側、つまり、前記第１及び第２データ配線ＤＬ１、ＤＬ２側にそれぞれ位置する。また、前記第１画素行と隣接する第２画素行のコンタクト部は前記第１画素行のコンタクト部と反対側に位置する。
【００５５】
前記表示パネル１００Ｂを駆動する前記データ駆動部２３０は、ドット反転及びカラム反転方式によってデータ電圧の極性を決める。例えば、前記表示パネル１００Ｂは、図３に示すようにデータファンアウト部が交差し、１ドット毎に極性が反転及び前記カラム反転で駆動するデータ駆動部によって駆動される。または、前記表示パネル１００Ｂは、図５に示すように、第１反転信号ＰＯ１及び第２反転信号ＰＯ２を利用して４ドット反転及び前記カラム反転で駆動するデータ駆動部によって駆動される。
【実施例３】
【００５６】
図７は、本発明の第３実施形態による表示パネルの反転駆動方式を説明するための概念図である。
【００５７】
図１及び図７を参照すると、前記表示パネル１００Ｃは、複数のデータ配線（ＤＬ１、…、ＤＬ８）と複数のゲート配線（ＧＬ１、…、ＧＬ５）を含み、前記データ配線（ＤＬ１、…、ＤＬ８）とゲート配線（ＧＬ１、…、ＧＬ５）とが電気的に接続された複数の画素を含む。前記データ配線（ＤＬ１、…、ＤＬ８）、ゲート配線（ＧＬ１、…、ＧＬ５）及び画素の配列構造は、図２に示した第１実施形態の構造と実質的に同一である。ただ、前記表示パネル１００Ｃは、前記第１実施形態の表示パネル１００Ａと比較して反転駆動方式、画素とデータ配線との間の接続構造、及びコンタクト部の配列構造が異なる。
【００５８】
前記表示パネル１００Ｃは、長辺方向に２ドット毎に極性が反転し、短辺方向に２ドット毎に極性が反転されて、２×２ドット反転方式で駆動される。前記２ドットは、互いに異なる極性を有することができる。前記表示パネル１００Ｃは、２ドット反転方式でデータ電圧を受信する。例えば、第４ｋ−３（ｋは自然数）、第４ｋ−２、第４ｋ−１、及び第４ｋデータ配線（ＤＬ、…、ＤＬ４）は、（＋、−、−、＋）のデータ電圧を受信する。前記データ配線は、フレーム単位で反転された極性のデータ電圧を受信することができる。
【００５９】
前記表示パネル１００Ｃの画素とデータ配線との間の接続構造及びコンタクト部の配列構造は下記のとおりである。
【００６０】
例えば、前記表示パネル１００Ｃは、第１ゲート配線ＧＬ１に接続された第１画素列の第１、第３、第５、第７画素（Ｐ１、Ｐ３、Ｐ５、Ｐ７）及び第２画素列の第２、第４、第６、第８画素（Ｐ２、Ｐ４、Ｐ６、Ｐ８）と、前記第１ゲート配線ＧＬ１と隣接する第２ゲート配線ＧＬ２と接続された第３画素列の第９、第１１、第１３、第１５画素（Ｐ９、Ｐ１１、Ｐ１３、Ｐ１５）及び第４画素列の第１０、第１２、第１４、第１６画素（Ｐ１０、Ｐ１２、Ｐ１４、Ｐ１６）を含む。
【００６１】
第１画素Ｐ１は、第２データ配線ＤＬ２側に配置された第１コンタクト部ＣＰ１を通じて第２データ配線ＤＬ２と接続され、第２画素Ｐ２は、第１データ配線ＤＬ１側に配置された第２コンタクト部ＣＰ２を通じて第１データ配線ＤＬ１と接続される。第３画素Ｐ３は、第３データ配線ＤＬ３側に配置された第３コンタクト部ＣＰ３を通じて第３データ配線ＤＬ３と接続され、第４画素Ｐ４は、第４データ配線ＤＬ４側に配置された第４コンタクト部ＣＰ４を通じて第４データ配線ＤＬ４と接続される。第５画素Ｐ５は、第５データ配線ＤＬ５側に配置された第５コンタクト部ＣＰ５を通じて第５データ配線ＤＬ５と接続され、第６画素Ｐ６は、第６データ配線ＤＬ６側に配置された第６コンタクト部ＣＰ６を通じて第６データ配線ＤＬ６と接続される。第７画素Ｐ７は、第８データ配線ＤＬ８側に配置された第７コンタクト部ＣＰ７を通じて第８データ配線ＤＬ８と接続され、第８画素Ｐ８は、第７データ配線ＤＬ７側に配置された第８コンタクト部ＣＰ８を通じて第７データ配線ＤＬ７と接続される。
【００６２】
第９画素Ｐ９は、第１データ配線ＤＬ１に接続され、第１０画素Ｐ１０は、第２データ配線ＤＬ２に接続される。第１１画素Ｐ１１は、第４データ配線ＤＬ４に接続され、第１２画素Ｐ１２は、第３データ配線ＤＬ３に接続される。第１３画素Ｐ１３は、第６データ配線ＤＬ６に接続され、第１４画素Ｐ１４は、第５データ配線ＤＬ５に接続される。第１５画素Ｐ１５は、第７データ配線ＤＬ７に接続され、第１６画素Ｐ１６は、第８データ配線ＤＬ８に接続される。
【００６３】
前記表示パネル１００Ｃは、第１〜第８画素（Ｐ１、…、Ｐ８）の第１〜第８コンタクト部（ＣＰ１、…、ＣＰ８）を参照すると、同一極性の電圧が充電される画素のコンタクト部は画素の上下に均一に分布される。
【００６４】
例えば、第１画素行に含まれた画素のうち、正極性（＋）のデータ電圧が充電された画Ｐ１、Ｐ９のコンタクト部ＣＰ１、ＣＰ９は、画素領域の上側、つまり、第１データ配線ＤＬ１側に位置し、負極性（−）のデータ電圧が充電される画素Ｐ１、Ｐ１０のコンタクト部ＣＰ１、ＣＰ１０は前記画素領域の下側、つまり、第２データ配線ＤＬ２側に位置する。また、前記第１画素行と隣接する第２画素行のコンタクト部は、前記第１画素行のコンタクト部と反対側に位置する。前記正極性（＋）のデータ電圧が充電される画素Ｐ４、Ｐ１１のコンタクト部ＣＰ４、ＣＰ１１は前記画素領域の下側、つまり、第４データ配線ＤＬ４側に位置し、前記負極性（−）のデータ電圧が充電される画素Ｐ３、Ｐ１２のコンタクト部ＣＰ３、ＣＰ１２は、前記画素領域の上側、つまり第３データ配線ＤＬ３側に位置する。つまり、同一の画素行の画素のうち、同じ極性のデータ電圧が充電される画素のコンタクト部は、同一の位置に配置される。
【００６５】
前記第１〜第１６画素（Ｐ１、…、Ｐ１６）と第１〜第８データ配線（ＤＬ１、…、ＤＬ８）間の接続構造は前記表示パネル１００Ｃの全体領域に対して繰り返される。
【００６６】
前記表示パネル１００Ｃは、前記第２ドット反転方式でデータ電圧を受信し、上述のような画素とデータ配線間の接続構造及びコンタクト部の配列構造によって２×２ドット反転方式で駆動されることができる。
【００６７】
前記表示パネル１００Ｃが２ドット反転方式による極性を有するデータ電圧を受信するためには図３及び図４に説明したように、データファンアウトを交差させる方式と図５に説明したように、データ駆動部の反転信号を利用する方式などを利用することができる。
【実施例４】
【００６８】
図８は、本発明の第４実施形態による表示パネルの反転駆動方式を説明するための概念図である。
【００６９】
図１及び図８を参照すると、前記表示パネル１００Ｄは、複数のデータ配線（ＤＬ１、…、ＤＬ８）と複数のゲート配線（ＧＬ１、…、ＧＬ５）を含み、前記データ配線（ＤＬ１、…、ＤＬ８）とゲート配線（ＧＬ１、…、ＧＬ５）と電気的に接続された複数の画素を含む。前記データ配線（ＤＬ１、…、ＤＬ８）、ゲート配線（ＧＬ１、…、ＧＬ５）及び画素の配列構造は、図２に示した第１実施形態の構造と実質的に同一である。ただし、前記表示パネル１００Ｄは前記第１実施形態の表示パネル１００Ａと比較して反転駆動方式、画素及びデータ配線間の接続構造、及びコンタクト部の配列構造が異なる。
【００７０】
前記表示パネル１００Ｄは、長辺方向に２ドット毎に極性が反転駆動され、短辺方向に２ドット毎に極性が反転駆動される、２×２ドット反転方式で駆動される。前記２ドットの極性は、互いに異なってもよい。前記表示パネル１００Ｄは、４ドット毎に極性が反転される４ドット反転方式でデータ電圧を受信する。第８ｋ−７（ｋは自然数）、第８ｋ−６、第８ｋ−５、第８ｋ−４、第８ｋ−３、第８ｋ−２、第８ｋ−１、及び第８ｋデータ配線、例えば、第１〜第８データ配線（ＤＬ１、…、ＤＬ８）は、（＋、−、−、＋、−、＋、＋、−）のデータ電圧を受信する。
【００７１】
前記表示パネル１００Ｄの画素とデータ配線間の接続構造及びコンタクト部の配列構造は下記のようである。
【００７２】
例えば、前記表示パネル１００Ｄは、第１ゲート配線ＧＬ１に接続された第１画素列の第１画素Ｐ１及び第３画素Ｐ３、第２画素列の第２画素Ｐ２及び第４画素Ｐ４、前記第１ゲート配線ＧＬ１と隣接する第２ゲート配線ＧＬ２と接続された第３画素列の第５画素Ｐ５及び第７画素Ｐ７、並びに第４画素列の第６画素Ｐ６及び第８画素Ｐ８を含む。
【００７３】
第１画素Ｐ１は、第２データ配線ＤＬ２側に配置された第１コンタクト部ＣＰ１を通じて第２データ配線ＤＬ２と接続され、第２画素Ｐ２は、第１データ配線ＤＬ１側に配置された第２コンタクト部ＣＰ２を通じて第１データ配線ＤＬ１と接続される。第３画素Ｐ３は第３データ配線ＤＬ３側に配置された第３コンタクト部ＣＰ３を通じて第３データ配線ＤＬ３と接続され、第４画素Ｐ４は第４データ配線ＤＬ４側に配置された第４コンタクト部ＣＰ４を通じて第４データ配線ＤＬ４と接続される。
【００７４】
第５画素Ｐ５は、第１データ配線ＤＬ１に接続され、第６画素Ｐ６は、第２データ配線ＤＬ２に接続される。第７画素Ｐ７は、第４データ配線ＤＬ４に接続され、第８画素Ｐ８は、第３データ配線ＤＬ３に接続される。
【００７５】
前記第１〜第８画素（Ｐ１、…、Ｐ８）と第１〜第４データ配線（ＤＬ１、…、ＤＬ４）と間の接続構造は、前記表示パネル１００Ｄの全体領域に対して繰り返される。
【００７６】
前記表示パネル１００Ｄは、第１〜第４画素（Ｐ１、…、Ｐ４）の第１コンタクト部〜第４コンタクト部（ＣＰ１、…、ＣＰ４）を参照すると、同じ極性の電圧が充電される画素のコンタクト部は画素の上下に均一に分布される。
【００７７】
例えば、第１画素行に含まれた画素のうち、正極性（＋）のデータ電圧が充電される画素Ｐ２、Ｐ５のコンタクト部ＣＰ２、ＣＰ５は、画素領域の上側、つまり、第１データ配線ＤＬ１側に位置し、負極性（−）のデータ電圧が充電される画素Ｐ１、Ｐ６のコンタクト部ＣＰ１、ＣＰ６は、前記画素領域の下側、つまり、第２データ配線ＤＬ２側に位置する。また、前記第１画素行と隣接する第２画素行のコンタクト部は、前記第１画素行のコンタクト部と反対側に位置する。前記正極性（＋）のデータ電圧が充電される画素Ｐ４、Ｐ７のコンタクト部ＣＰ４、ＣＰ７は、前記画素領域の下側、つまり、第４データ配線ＤＬ４側に位置し、前記負極性（−）のデータ電圧が充電される画素Ｐ３、Ｐ８のコンタクト部ＣＰ３、ＣＰ８は前記画素領域の上側、つまり、第３データ配線ＤＬ３側に位置する。つまり、同一の画素行の画素のうち、同じ極性のデータ電圧が充電される画素のコンタクト部は同一の位置に配置される。
【００７８】
前記表示パネル１００Ｄは、前記４ドット反転方式でデータ電圧を受信し、上述のような画素とデータ配線間の接続構造及びコンタクト部の配列構造によって２×２ドット反転方式で駆動されることができる。前記２ドットは、互いに異なる極性を有することができる。
【００７９】
前記表示パネル１００Ｄが４ドット反転方式による極性を有するデータ電圧を受信するためには図３及び図４に説明したように、データファンアウト部を交差させる方式と図５に説明したようにデータ駆動部の反転信号を利用する方式などを利用することができる。前記４ドット反転方式による極性を有するデータ電圧をフレーム単位で反転することができる。
【実施例５】
【００８０】
図９は、本発明の第５実施形態による表示パネルの反転駆動方式を説明するための概念図である。
【００８１】
図１及び図９を参照すると、前記表示パネル１００Ｅは、複数のデータ配線（ＤＬ１、…、ＤＬ８）と複数のゲート配線（ＧＬ１、…、ＧＬ５）を含み、前記データ配線（ＤＬ１、…、ＤＬ８）とゲート配線（ＧＬ１、…、ＧＬ５）と電気的に接続された複数の画素を含む。前記データ配線（ＤＬ１、…、ＤＬ８）、ゲート配線（ＧＬ１、…、ＧＬ５）及び画素の配列構造は図２に示した第１実施形態の構造と実質的に同一である。ただし、前記表示パネル１００Ｅは、前記第１実施形態の表示パネル１００Ａと比較して反転駆動方式、画素とデータ配線間の接続構造、及びコンタクト部の配列構造が異なる。
【００８２】
前記表示パネル１００Ｅは、長辺方向に２ドット毎に極性が反転駆動され、短辺方向に２ドット毎に極性が反転駆動される、２×２ドット反転方式で駆動される。前記２ドットは、互いに異なる極性を有することができる。前記表示パネル１００Ｅは、８ドット毎に極性が反転される８ドット反転方式でデータ電圧を受信する。第８ｋ−７（ｋは、自然数）、第８ｋ−６、第８ｋ−５、  第８ｋ−４、第８ｋ−３、第８ｋ−２、第８ｋ−１、及び第８ｋデータ配線、例えば、第１〜第８データ配線（ＤＬ１、…、ＤＬ８）は、（＋、−、−、＋、−、＋、＋、−）のデータ電圧を受信する。
【００８３】
前記表示パネル１００Ｅの画素とデータ配線間の接続構造及びコンタクト部の配列構造は下記のとおりである。
【００８４】
例えば、前記表示パネル１００Ｅは、第１ゲート配線ＧＬ１に接続された第１画素列の第１画素Ｐ１及び第２画素列の第２画素Ｐ２と、前記第１ゲート配線ＧＬ１と隣接する第２ゲート配線ＧＬ２と接続された第３画素列の第３画素Ｐ３及び第４画素列の第４画素Ｐ４と、前記第２ゲート配線ＧＬ２と隣接する第３ゲート配線ＧＬ３に接続された第５画素列の第５画素Ｐ５及び第６画素列の第６画素Ｐ６を含む。前記第１画素Ｐ１〜第６画素Ｐ６は第１方向に配列された画素である。
【００８５】
第１、第４、及び第５画素（Ｐ１、Ｐ４、Ｐ５）は、第２データ配線ＤＬ２と接続され、第２、第３、及び第６画素（Ｐ２、Ｐ３、Ｐ６）は、第１データ配線ＤＬ１と接続される。
【００８６】
前記第１、第４、及び第５画素（Ｐ１、Ｐ４、Ｐ５）に配置された第１、第４、及び第５コンタクト部（ＣＰ１、ＣＰ４、ＣＰ５）は前記第２データ配線ＤＬ２と隣接する領域に配置され、前記第２、第３、及び第６画素（Ｐ２、Ｐ３、Ｐ６）に配置された第２、第３、及び第６コンタクト部（ＣＰ２、ＣＰ３、ＣＰ６）は前記第１データ配線ＤＬ１と隣接する領域に配置される。  
【００８７】
前記第２〜第５画素（Ｐ２、…、Ｐ５）と第１及び第２データ配線ＤＬ１、ＤＬ２間の接続構造と、前記第２〜第５画素（Ｐ２、…、Ｐ５）に配置された第２〜第５コンタクト部（ＣＰ１、…、ＣＰ５）の配置構造は、前記表示パネル１００Ｅの全体領域に対して繰り返される。前記表示パネル１００Ｅは、同じ極性の電圧が充電される画素のコンタクト部は画素の上下に均一に分布される。
【００８８】
例えば、第１画素行に含まれた画素のうち、正極性（＋）のデータ電圧が充電される画素Ｐ２、Ｐ３のコンタクト部ＣＰ２、ＣＰ３は、画素領域の上側、つまり、第１データ配線ＤＬ１側に位置し、負極性（−）のデータ電圧が充電される画素（Ｐ１、Ｐ４、Ｐ５）のコンタクト部（ＣＰ１、ＣＰ４、ＣＰ５）は、前記画素領域の下側、つまり、第２データ配線ＤＬ２側に位置する。また、前記第１画素行と隣接する第２画素行のコンタクト部は、前記第１画素行のコンタクト部と反対側に位置する。つまり、同一の画素行の画素のうち、同じ極性のデータ電圧が充電される画素のコンタクト部は、同じ位置に配置される。
【００８９】
前記表示パネル１００Ｅは、前記４ドット反転方式でデータ電圧を受信し、上述のような画素とデータ配線間の接続構造及びコンタクト部の配列構造によって２×２ドット方式で駆動されることができる。
【００９０】
前記表示パネル１００Ｅが８ドット反転方式による極性データ電圧を受信するためには、図３及び４に説明したようにデータファンアウト部を交差させる方式と図５に説明したようにデータ駆動部の反転信号を利用する方式などを利用することができる。
【００９１】
図１０及び図１１は、本発明によって縞模様現象が改善される原理を説明するための概念図である。
【００９２】
図１０は、第１実施形態のように１×２ドット反転方式で駆動される表示装置にホワイト画像とブラック画像が交代で配置されるチェックパターンを表示する。図１１は、第２実施形態〜第５実施形態のように２×２ドット反転方式で駆動される表示装置に前記チェックパターンを表示する。前記表示装置は、単位画素Ｐｕを含み、前記単位画素は、赤色Ｒ１、緑色Ｇ１、及び青色Ｂ１画素からなる。
【００９３】
図１０に示したように、１×２ドット反転方式で駆動される表示装置において、横方向（第１方向）に延伸された横領域１１０に含まれた画素の極性と、縦方向（第２方向）に延伸された縦領域１２０に含まれた画素の極性を調べた。前記横領域１１０は、互いに隣接した第１画素行１１１〜第４画素行１１４からなる。第１画素行１１１〜第２画素行１１２で前記ホワイト画像ＷＩを表示する画素は、（＋、−、＋）の極性を有し、前記ブラック画像ＢＩを表示する画素（−、＋、−）の極性を有する。反面、第３画素行１１３及び第４画素行１１４で前記ホワイト画像ＷＩを表示する（−、＋、−）の極性を有し、前記ブラック画像ＢＩを表示する画素（＋、−、＋）の極性を有する。前記横領域１１０でホワイト画像ＷＩを表示する画素とブラック画像ＢＩを表示する画素の極性は均一に分布される。
【００９４】
前記縦領域１２０は、互いに隣接した第１画素列１２１〜第４画素列１２４からなる。第１画素列１２１〜第２画素列１２２で前記ホワイト画像ＷＩを表示する画素は、（−、＋）と（＋、−）の極性を交代で有し、前記ブラック画像ＢＩを表示する画素は、（＋、−）と（−、＋）の極性を交代で有する。第３画素列１２３及び第４画素列１２４で前記ホワイト画像ＷＩを表示する（＋、−）と（−、＋）の極性を交代で有し、前記ブラック画像ＢＩを表示する画素（−、＋）と（＋、−）の極性を交代で有する。前記縦領域１２０でホワイト画像を表示するＷＩを表示する画素とブラック画像ＢＩを表示する画素の極性は均一に分布される。
【００９５】
従って、１×２ドット反転方式の表示装置においては、横縞模様及び縦縞模様が発生しないことがわかった。
【００９６】
次に、図１１に示したように２×２ドット反転方式で駆動される表示装置において横領域３１０と縦領域３２０に含まれた画素の極性を調べてみた。
【００９７】
前記横領域３１０の第１画素行２１１〜第４画素行２１４で前記ホワイト画像ＷＩを表示する画素は、（−、＋、＋）、（＋、−、−）、（＋、＋、−）及び（−、−、＋）の極性が均一に分布され、前記ブラック画像ＢＩを表示する画素もやはり、（−、＋、＋）、（＋、−、−）、（＋、＋、−）及び（−、−、＋）の極性が均一に分布される。
【００９８】
前記縦領域３２０は、第１画素列２２１〜第４画素列２２４で前記ホワイト画像ＷＩを表示する画素は、（＋、＋）及び（−、−）の極性が均一に分布され、前記ブラック画像ＢＩを表示する画素もやはり（＋、＋）及び（−、−）の極性が均一に分布される。
【００９９】
従って、２×２ドット反転方式で駆動される表示装置は、横縞模様及び縦縞模様が発生しないことがわかった。
【０１００】
結果的に、短辺方向に２ドット毎に極性が反転駆動される表示装置は、縞模様不良を防ぐことができる。
【０１０１】
図１２及び図１３は、本発明によって共通電圧のカップリングによる不良が改善される原理を説明するための概念図である。図１２は、短辺方向に２ドット毎に極性が反転する表示装置にチェックパターンを表示した場合であり、図１３は、図１２の画素に印加される電圧の波形図である。
【０１０２】
図１２及び図１３を参照すると、第１データ配線ＤＬ１〜第８データラインＤＬ８は、８ドット反転方式に従って、−、＋、＋、−、＋、−、−、＋の極性のデータ電圧をそれぞれ受信する。つまり、第１、第４、第６、及び第７データ配線（ＤＬ１、ＤＬ４、ＤＬ６、ＤＬ７）は、負極性（−）のデータ電圧（−ｄ１、−ｄ３、−ｄ５、−ｄ７）を受信し、第２、第３、第５、及び第８データ配線（ＤＬ２、ＤＬ３、ＤＬ５、ＤＬ８）は、正極性（＋）のデータ電圧（＋ｄ２、＋ｄ４、＋ｄ６、＋ｄ８）を受信する。前記負極性（−）のデータ電圧は、共通電圧（Ｖｃｏｍ）と接地電圧（ＧＮＤ）との間の電圧であり、前記正極性（＋）のデータ電圧は、前記共通電極（Ｖｃｏｍ）と電源電圧（ＡＶＤＤ）との間の電圧である。前記接地電圧（ＧＮＤ）及び前記電源電圧（ＡＶＤＤ）は、ブラック階調の電圧である。
【０１０３】
具体的に、第１ゲート配線ＧＬ１がゲート信号を受信する一番目のＨ区間に第１データ配線ＤＬ１は、ブラック階調のデータ電圧（ＧＮＤ）を受信し、第２データ配線ＤＬ２は、ブラック階調のデータ電圧（ＡＶＤＤ）を受信する。第２ゲート配線ＧＬ２がゲート信号を受信する二番目のＨ区間に第１データ配線ＤＬ１は、ホワイト階調のデータ電圧（−ＷＶ）を受信し、第２データ配線ＤＬ２は、続いてブラック階調のデータ電圧（ＡＶＤＤ）を受信する。第３ゲート配線ＧＬ３がゲート信号を受信する三番目のＨ区間に第１データ配線ＤＬ１は、ホワイト階調のデータ電圧（−ＷＶ）を受信し、第２データ配線ＤＬ２は、ホワイト階調のデータ電圧（＋ＷＶ）を受信する。
【０１０４】
この場合、前記第１データ配線ＤＬ１及び第２データ配線ＤＬ２に接続された第１画素行１３１の画素に印加された共通電圧（Ｖｃｏｍ１）は、前記第１データ配線ＤＬ１及び第２データ配線ＤＬ２に受信されたデータ電圧の変動に従って、一番目Ｈ区間と二番目Ｈ区間との間では上昇し、二番目Ｈ区間と三番目Ｈ区間との間には下降する歪曲が発生した。
【０１０５】
同じ方式で、第３データ配線ＤＬ３及び第４データ配線ＤＬ４に接続された第２画素行１３２の画素に印加された共通電圧Ｖｃｏｍ２は、前記第３データ配線ＤＬ３及び第４データ配線ＤＬ４に受信されたデータ電圧の変動によって一番目Ｈ区間と二番目Ｈ区間との間では上昇し、二番目Ｈ区間と三番目Ｈ区間との間には下降する歪曲が発生する。
【０１０６】
第５データ配線ＤＬ５及び第６データ配線ＤＬ６に接続された第３画素行１３３の画素に印加された共通電圧Ｖｃｏｍ３は、前記第５データ配線ＤＬ５及び第６データ配線ＤＬ６に受信されたデータ電圧の変動によって一番目Ｈ区間と二番目Ｈ区間との間では下降し、二番目Ｈ区間と三番目Ｈ区間との間には上昇する歪曲が発生する。
【０１０７】
第７データ配線ＤＬ７及び第８データ配線ＤＬ８に接続された第４画素行１３４の画素に印加された共通電圧Ｖｃｏｍ４は、前記第７データ配線ＤＬ７及び第８データ配線ＤＬ８に受信されたデータ電圧の変動によって一番目Ｈ区間と二番目Ｈ区間との間では下降し、二番目Ｈ区間と三番目Ｈ区間との間には歪曲が発生する。
【０１０８】
結果的に、短辺方向に２ドット毎に極性が反転される表示装置は、前記第１画素行１３１及び第２画素行１３２の歪曲成分と、前記第３画素行１３３及び第４画素行１３４の歪曲成分が互いに相殺されることによって全体領域の表示装置は前記共通電圧のカップリングによってグリーニッシュ（Ｇｒｅｅｎｉｓｈ）に視認される不良を防ぐことができる。
【０１０９】
図１４は、ゲート及びソース金属パターン間のミスアラインを説明するための平面図である。
【０１１０】
図１４を参照すると、第１ゲート配線ＧＬ１は、ゲート金属パターンで形成され、隣接する第１画素Ｐ１と第２画素Ｐ２との間に配置される。第１ゲート配線ＧＬ１は、第１画素Ｐ１側に突出された第１ゲート電極ＧＥ１と第２画素Ｐ２側に突出された第２ゲート電極ＧＥ２を含む。
【０１１１】
前記第１ゲート配線ＧＬ１と交差する方向に延伸された第１データ配線ＤＬ１及び第２データ配線ＤＬ２が配置され、前記第１データ配線ＤＬ１及び第２データ配線ＤＬ２は、ソース金属パターンで形成される。前記第１データ配線ＤＬ１は、前記第１画素側にＵ字状に突出された第１ソース電極ＳＥ１を含み、前記第２データ配線ＤＬ２は、前記第２画素側にＵ字状に突出された第２ソース電極ＳＥ２を含む。また、前記第１データ配線ＤＬ１及び前記第２データ配線ＤＬ２は、前記ソース金属パターンで形成される。前記第１データ配線ＤＬ１は、前記第１ソース電極ＳＥ１と離隔されて第１画素電極ＰＥ１とコンタクトホールを通じて接続する第１ドレイン電極ＤＥ１を含む。前記第２データ配線ＤＬ２は、前記第２ソース電極ＳＥ２と離隔されて第２画素電極ＰＥ２とコンタクトホールを通じて接続する第２ドレイン電極ＤＥ２を含む。
【０１１２】
望ましくは、第１ソース電極ＳＥ１と第１ゲート電極ＧＥ１はオーバーラップするように配置し、前記第２ソース電極ＳＥ２と第２ゲート電極ＧＥ２はオーバーラップするように配置し、オーバーラップ面積は同じなければならない。しかし、前記ソース金属パターンが前記ゲート金属パターンについて正位置に配置されず、ずれて配置される場合、前記第１ソース電極ＳＥ１と第１ゲート電極ＧＥ１間のオーバーラップ面積と、前記第２ソース電極ＳＥ２と前記第２ゲート電極ＧＥ２間のオーバーラップ面積が互いに異なることができる。
【０１１３】
図示のように、第１ゲート電極ＧＥ１と第１ソース電極ＳＥ１間のオーバーラップ面積が前記第２ゲート電極ＧＥ２と第２ソース電極ＳＥ２間のオーバーラップ面積より大きい場合、前記第１スイッチング素子ＴＲ１のゲート／ソースの寄生キャパシタンスＣｇｓ１が第２スイッチング素子ＴＲ２のゲート／ソースの寄生キャパシタンスＣｇｓ２より大きくなる。
【０１１４】
本発明の実施形態のように、同一極性のデータ電圧が充電される画素のスイッチング素子が画素内の上下に均一に分布される場合、図１４のようなゲート及びソース金属パターンのミスアラインによって発生するフリッカー現象を防ぐことができる。
【０１１５】
図１５及び図１６は、本発明によって、ゲート配線がミスアラインされた場合、表示不良が改善される原理を説明するための概念図である。図１５は、長辺方向に２ドット毎に極性が反転する表示装置でゲート配線が左側に傾いた場合の平面図である。図１６は、図１５の画素  に印加される電圧の波形図である。
【０１１６】
図１５及び図１６を参照すると、第１ゲート配線ＧＬ１は、第１画素Ｐ１及び第２画素Ｐ２にゲート信号を提供し、第２ゲート配線ＧＬ２は、第３画素Ｐ３及び第４画素Ｐ４にゲート信号を提供する。
【０１１７】
前記ゲート配線ＧＬ１、ＧＬ２のミスアラインによって前記第１ゲート配線ＧＬ１は、前記第２画素Ｐ２より第１画素Ｐ１に近く、前記第２ゲート配線ＧＬ２は前記第４画素Ｐ４より第３画素Ｐ３に近い。これによって、前記第１画素Ｐ１は、前記第１ゲート配線ＧＬ１の営業を受けてノーマルな画素電圧−ＰＶより低い第１画素電圧ＰＶ１が充電される。反面、前記第２画素Ｐ２は前記第１ゲート配線ＧＬ１の営業をほとんど受けないため、ノーマルな画素電圧＋ＰＶより高い第２画素電圧ＰＶ２が充電される。
【０１１８】
同じ原理で、前記第３画素Ｐ３は、前記第２ゲート配線ＧＬ２に影響を受けて、ノーマルな画素電圧＋ＰＶより低い第３画素電圧ＰＶ３が充電され、前記第４画素Ｐ４は、前記第２ゲート配線ＧＬ２の影響をほとんど受けないため、ノーマルな画素電圧−ＰＶより高い第４画素電圧ＰＶ４が充電される。
【０１１９】
結果的に、負極性のデータ電圧が充電する第１画素Ｐ１及び第４画素Ｐ４を比較すると、相対的に第１画素Ｐ１は、低い画素電圧が充電され、第４画素Ｐ４は、高い画素電圧が充電されて前記第１画素Ｐ１に不足な画素電圧を前記第４画素Ｐ４が補償するようになる。また、前記第３画素Ｐ３に不足な画素電圧を前記第２画素Ｐ２が補償するようになる。
【０１２０】
従って、長辺方向に２ドット毎に極性が反転駆動する表示装置においては、ゲート配線のミスアラインによる表示不良を除去することができる。
【０１２１】
以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【産業上の利用可能性】
【０１２２】
本発明の実施形態によると、データ配線数を減らす画素構造で、縞模様、グリーニッシュ現象、フリッカー現象などのような表示品質不良を除去することができる。また、画素部に配置されたコンタクト部の位置を均一に配置することによって、ブラックマトリックスがコンタクト部に配置される構造であるＢＯＡ（Ｂｌｏｃｋ−ｍａｔｒｉｘ  Ｏｎ  Ａｒｒａｙ）パネルで、コンタクト部によって視認される表示不良を除去することができる。
【符号の説明】
【０１２３】
１００      表示パネル
１００Ａ    表示パネル
１００Ｂ    表示パネル
１００Ｃ    表示パネル
１００Ｄ    表示パネル
１００Ｅ    表示パネル                                                
２００    パネル駆動部
２１０    タイミング制御部
２３０    データ駆動部
２５０    ゲート駆動部
【図１】
2011022558.tif 000003
【図２】
2011022558.tif 000004
【図３】
2011022558.tif 000005
【図４】
2011022558.tif 000006
【図５】
2011022558.tif 000007
【図６】
2011022558.tif 000008
【図７】
2011022558.tif 000009
【図８】
2011022558.tif 000010
【図９】
2011022558.tif 000011
【図１０】
2011022558.tif 000012
【図１１】
2011022558.tif 000013
【図１２】
2011022558.tif 000014
【図１３】
2011022558.tif 000015
【図１４】
2011022558.tif 000016
【図１５】
2011022558.tif 000017
【図１６】
2011022558.tif 000018